(57)【要約】【課題】部品点数が少なく、ガタが生じにくいコントロールケーブル用のワンタッチキャップを提供する。【解決手段】Ｕ字状のスロット１５を備えたブラケット１４に、コントロールケーブルの端末を固定するためのワンタッチキャップ１０であって、一端にケーブル固定部を有し、筒状を呈する胴部２２と、その胴部の外周に互いに間隔を開けて設けられる第１フランジ２３および第２フランジ２４と、両フランジの間に設けられる一対の弾性片２５を備えたキャップ本体１１と、弾性片２５のたわみをロックするロックピース１２とを備えたワンタッチキャップ１０。弾性片２５は、自由端の摘み５０と、スロット１５の第１係止段部５６と係合する係止爪５１と、第２係止段部５７と引っかかる引っ掛かり部５２とを備えている。【選択図】　図１
2004125058.tif 000002
【特許請求の範囲】
【請求項１】
Ｕ字状のスロットを備え、そのスロットの内面に係止段部を備えた板状のブラケットに、コントロールケーブルの端末を着脱自在に固定するためのワンタッチキャップであって、
（ａ）ケーブルの端部を固定するケーブル固定部を有し、筒状を呈する胴部と、
（ｂ）その胴部の外周に互いに間隔を開けて設けられる、前記ブラケットの一面と係合する第１フランジおよび他面と係合する第２フランジと、
（ｃ）前記第１フランジと第２フランジの間に、その基部が胴部の下方と連続し、自由端が上方に延びるように設けられ、外面に前記ブラケットの係止段部と係合する係止爪を備えている弾性片
とを備えている、コントロールケーブル固定用のワンタッチキャップ。
【請求項２】
前記第１フランジと第２フランジの間に、前記ブラケットのＵ字状のスロットの内面と嵌合するガイド部が設けられ、そのガイド部と前記弾性片とが軸方向にずれて配置されている請求項１記載のワンタッチキャップ。
【請求項３】
前記弾性片が、前記係止爪に加えて、弾性片の基部近辺に、前記スロットに設けられる第２の係止段部と係合し、かつ、係止爪の係止が解かれる弾性変形のときでも第２の係止段部との係合がいくらか残る引っ掛かり部を備えている請求項１記載のワンタッチキャップ。
【請求項４】
前記弾性片と胴部との間に着脱自在に装着されるロックピースをさらに備えている請求項１記載のワンタッチキャップ。
【発明の詳細な説明】
【０００１】
【発明の属する技術分野】
本発明はコントロールケーブル固定用のワンタッチキャップに関する。さらに詳しくは、オートマチック・トランスミッションの操作用のプッシュプル・コントロールケーブル（以下、ＡＴケーブルという）のシフトレバー側の端末を支持する支持構造に適するワンタッチキャップに関する。
【０００２】
【従来の技術】
【特許文献１】特開２００２−１２２２７１号公報
【特許文献２】特開２０００−８７９４７号公報
【特許文献３】米国特許第５，３４７，８８２明細書
一般的に、ＡＴケーブルのシフトレバー側の端末を固定する場合、図９ｂに示すようなＵ字状のスロット１０１を備えた板状のブラケット１０２によって支持する端末固定装置１００が用いられている。この端末固定装置１００は、ブラケット１０２のスロット１０１に横向きに、すなわちケーブル１０３の軸心に対する半径方向に挿入して固定できるようにしている。このような端末固定装置１００として、特許文献１は、片手で容易に装着することができ、装着後は軸方向の力を受けることができ、かつ、容易に抜けないように工夫したワンタッチキャップを提案している。
【０００３】
このものは、図９ａに示すように、基本的には、ブラケット１０２の一面と係合するフランジ状のストッパ１０５および雄ネジ１０６を備えた本体１０７と、前記雄ネジに螺合され、コイルバネ１０８で回転方向に付勢されるナット状のソケット１０９とから構成されている。このものはネジ締めを半自動化したものである。さらにこのものは、ブラケット１０２への装着前にソケット１０９の回転をロックし、装着時に自動的にロックが解除されるロック部材１１１を備えている。なお、ソケット１０９の軸方向の動きを利用して、ソケット１０９に、スロット１０１の顎部１０１ａと係合・離脱する環状の突起を設け、それにより抜け止め作用を確実にすることも開示されている。
【０００４】
他方、特許文献２には、図１０に示すような、ブラケット１０２のスロット１０１に係合する溝１１４を有するケーブルケース１１５と、その溝１１４とスロット１０１との間に介在され、スロット１０１に形成した係合溝１１６とスナップ係合する屈曲部１１７を有するバネ片１１８とを備えた端末固定装置１１９が開示されている。なお、バネ片１１８の自由端１２０はつまみ部である。このものはワンタッチキャップとはいえないかも知れないが、一旦バネ片１１８を溝１１４に装着すると、片手でブラケット１０２に取り付けることができる。また、取り外す場合もバネ片１１８の自由端１２０を摘むだけでバネ片１１８の屈曲部１１７の係合溝１１６との係合が解除されるので、取り外しも容易である。なお同様な端末固定装置がに開示されている。なお、特許文献３にも同様な端末固定装置が開示されている。
【０００５】
【発明が解決しようとする課題】
特許文献１の端末固定装置１００は、ソケット１０９の作動範囲を確保するため、軸方向の長さが長くなり、コイルバネ１０８やソケット１０９を要するため、部品点数が多く、事前の組み立て作業が繁雑である。他方、特許文献２の端末固定装置１１９では、部品点数が少なく、ケーブルケース１１５の構成は簡易であるが、事前にバネ片１１８をケーブルケース１１５に取り付ける必要があり、しかもガタが生じやすいという問題がある。本発明は部品点数が少なく、しかもガタが生じにくいコントロールケーブル用のワンタッチキャップを提供することを技術課題としている。
【０００６】
【課題を解決するための手段】
本発明のコントロールケーブル用のワンタッチキャップ（請求項１）は、Ｕ字状のスロットを備え、そのスロットの内面に係止段部を備えた板状のブラケットに、コントロールケーブルの端末を着脱自在に固定するためのワンタッチキャップであって、
（ａ）ケーブルの端部を固定するケーブル固定部を有し、筒状を呈する胴部と、
（ｂ）その胴部の外周に互いに間隔を開けて設けられる、前記ブラケットの一面と係合する第１フランジおよび他面と係合する第２フランジと、
（ｃ）前記第１フランジと第２フランジの間に、その基部が胴部の下方と連続し、自由端が上方に延びるように設けられ、外面に前記ブラケットの係止段部と係合する係止爪を備えている弾性片
とを備えていることを特徴としている。
【０００７】
このようなワンタッチキャップにおいては、前記第１フランジと第２フランジの間に、前記ブラケットのＵ字状のスロットの内面と嵌合するガイド部が設けられ、そのガイド部と前記弾性片とが軸方向にずれて配置されているものが好ましい（請求項２）。さらに前記弾性片が、前記係止爪に加えて、弾性片の基部近辺に、前記スロットに設けられる第２の係止段部と係合し、かつ、係止爪の係止が解かれる弾性変形のときでも第２の係止段部との係合がいくらか残る引っ掛かり部を備えているものが好ましい（請求項３）。また、前記弾性片と胴部との間に着脱自在に装着されるロックピースをさらに備えているものが好ましい（請求項４）。
【０００８】
【作用および発明の効果】
本発明のワンタッチキャップ（請求項１）は、第１フランジと第２フランジの間にブラケットが挿入されるようにして、両フランジの間の胴部をブラケットのＵ字状のスロットに挿入する。それにより軸方向の移動は、ブラケットの両面と第１フランジおよび第２フランジの係合により拘束される。例えばコントロールケーブルの内索が操作されると、軸方向の反力が導管に加わるが、第１フランジと第２フランジのブラケットとの係合により、反力が支持される。また、弾性片は弾力的に撓むので、弾性変形させながら胴部をスロットに一旦嵌合させ、その係止爪をブラケットの係止段部に係合させると、弾性片の復帰力で係止爪がしっかりと係止段部に係合する。それにより胴部がＵ字状のスロットから抜け出ることが防止される。なお、上記のワンタッチキャップにおいて、一対の弾性片を胴部の両側に設ける場合は、左右の弾性片の係止爪が係止段部と係合するので、一層確実にケーブルを保持することができる。
【０００９】
本発明における弾性片は、従来のワンタッチキャップの場合と異なり、胴部に連続するように一体化しているので、別々に組み付けたり、あらかじめ組み付けておく必要がない。そのためケーブルのブラケットへの取り付け作業が容易である。また部品点数が少ないため、製造が容易で、部品管理も容易である。また、ブラケットに装着したケーブルに対し、スロットの開口部の方向に動かすようなこじり方向の力が加わった場合、第１および第２フランジがブラケットの両面でガイドされるので、ワンタッチキャップはブラケットの開口に向かってまっすぐに抜ける力が働く。そのため、弾性片には捻り方向の力が加わらず、係止爪でしっかりと保持することができる。さらに弾性片は胴部と一体であるので、軸方向および半径方向のガタはほとんどない。
【００１０】
また、前記ワンタッチキャップにおいて、第１フランジと第２フランジの間に、前記ブラケットのＵ字状のスロットの内面と嵌合するガイド部を設け、そのガイド部と前記弾性片とを軸方向にずらせて配置させる場合（請求項２）は、ワンタッチキャップのブラケットへの装着時のガイド作用および装着時の半径方向のずれや回転を防止することができる。このガイド部の効果と前記第１および第２フランジの効果と前記弾性片の効果により、ワンタッチキャップは軸方向および半径方向のいずれに対しても一層確実に拘束され、しっかりと保持される。
【００１１】
前記弾性片が、前記係止爪に加えて、弾性片の基部近辺に、前記スロットに設けられる第２の係止段部と係合し、かつ、係止爪の係止が解かれる弾性変形のときでも第２の係止段部との係合がいくらか残る引っ掛かり部を備えている場合（請求項３）は、係止爪と引っ掛かり部とが一緒になってスロットから抜けるのを防止するので、抜け止め作用が一層高くなる。さらに弾性片に不測の外力が加わって撓み、係止爪と係止段部の係合が外れても、引っ掛かり部とスロットの第２の係止段部の係合が残っているので、脱落しない。そして外力がなくなると、係止爪が再び係止段部と係合する。そのため、ワンタッチキャップはブラケットに対して一層確実に保持される。
【００１２】
前記弾性片と胴部との間に着脱自在に装着されるロックピースをさらに備えているワンタッチキャップの場合（請求項４）は、ロックピースが弾性片と胴部の間に装着されると、弾性片は係止爪の係止作用が解かれる方向に撓むことができない。そのため、弾性片に不測の外力が加わっても、係止爪が係止段部から外れず、それによりワンタッチキャップがブラケットから外れない。その場合、ワンタッチキャップにロックピースを嵌合できる部位を設けておくと、ロックピースを弾性片と胴部の間に装着しない場合も、ワンタッチキャップに嵌合させておくことができるため、取り扱いが容易である。
【００１３】
【発明の実施の形態】
つぎに図面を参照しながら本発明の支持装置の実施の形態を説明する。図１は本発明のワンタッチキャップの一実施形態をブラケットと共に示す分離斜視図、図２および図３はそれぞれそのワンタッチキャップを用いたケーブル端末固定構造の一実施形態を示す平面図および縦断面図、図４ａおよび図４ｂはそれぞれ図１のワンタッチキャップの側面図および正面図、図５ａ〜ｄはそれぞれ図４ａのＡ−Ａ線断面図、Ｂ−Ｂ線断面図、Ｃ−Ｃ線断面図およびＤ−Ｄ線断面図、図６はそのワンタッチキャップのブラケットから取り外す状態を示す断面図、図７は図１のワンタッチキャップの一部断面平面図、図８は図１に示すロックピースの背面斜視図である。
【００１４】
図１に示すワンタッチキャップ１０は、キャップ本体１１と、そのキャップ本体に対して着脱自在に取り付けられるロックピース１２とから構成されている。このワンタッチキャップ１０は、図３に示すコントロールケーブル１３を図１の下方に示すブラケット１４に対し、軸方向に動かないように、かつ、着脱自在に取り付けるためのものである。なお、ロックピース１２は必ずしも必須でなく、省略することもできる。その場合はキャップ本体１１自体がワンタッチキャップとなる。以下の説明では、キャップ本体１１をワンタッチキャップと言う場合もある。ブラケット１４はＵ字状のスロット１５を有する板状のものであり、全体の形態は様々である。なお、図１ではキャップ本体１１の内部の構成を明瞭に示すため、途中で切断し、前後にいくらか離して配置した分離構成図として示している。しかし実際は、図２などに示すように、キャップ本体１１は前後で連続しており、合成樹脂などで一体で成型される。
【００１５】
前記キャップ本体１１は、コントロールケーブルおよびその付属部品を通して保持するための内部空洞２１を有する筒状の胴部２２と、その胴部の前後に設けられる板状の第１フランジ２３および第２フランジ２４と、胴部２２の下部に連結され、胴部２２の側方を通って胴部の上端より上方まで延びる弾性片２５とを備えている。弾性片２５は左右対称に一対で設けられている。それらの弾性片２５同士の間には、胴部２２の上端から上方に延びる当接片２６が設けられている。当接片２６は弾性片２５を内向きに撓ませたとき、その撓みを規制するものであり、その外面と弾性片２５との間には、上方に向かって拡がる隙間２７が設けられている（図５ｃ参照）。さらにこの実施形態では、第２フランジ２４の裏面にブラケット１４のＵ字状のスロット１５に嵌合する輪郭を備えた板状のガイド部２８が設けられている。
【００１６】
前記胴部２２の内部空洞２１は、図３に示すように、公知の形状を備えている。すなわち胴部２２の後部２２ａは、ゴム製の防振ダンパ３２を介して導管保持部材３３を収容保持するケーブル固定部であり、前部２２ｂはガイドパイプ３４の首振り角度を規制するためのテーパ状の内面３５を有する部分である。図２および図４ａに示すように、第１フランジ２３はほぼ後部２２ａと前部２２ｂの境界近辺に配置され、弾性片２５および第２フランジ２４は前部２２ｂの上部に設けられている。胴部２２の第１フランジ２３と第２フランジ２４の間の部分は、ブラケット１４のスロット１５内に入る部分である。その下部は、弾性片２５が設けられている部分（図５ｃ参照）やガイド部２８が設けられている部分（図５ｄ参照）では、ブラケット１４のスロット１５の円弧状の底部に嵌合する半円筒面としている。第１ブラケット２３と弾性片２５の間の部分（図５ａ参照）および弾性片２５とガイド部２８の間の部分（図５ｂ参照）では胴部を細くし、スロットの底部と当接するリブを設けている。
【００１７】
図３に示す導管保持部材３３は、コントロールケーブルの導管３６の端部をカシメ付ける筒状部３７と、防振ダンパ３２によって係合保持されるフランジ３８を備えた公知のものである。またガイドパイプ３４は、一端に防振ダンパ３２内の空洞にボールソケット連結される球面状膨大部３９を備え、他端側にガイドロッド４０を軸方向摺動自在に保持する円筒部４１を備えた公知のものである。ガイドロッド４０の基端には、導管３６から出てくる内索３６ａの端部が固着される。さらに胴部２２の後部２２ａおよび防振ダンパ３２の周囲には、有底筒状のケース４２が被せられており、その端部は、後部２２ａの周囲に形成した係合突起４２ａと嵌合して締結されている。
【００１８】
前記第１フランジ２３の下部は図５ａに示すように略半円形で、上部は逆台形状を呈している。さらにこの実施形態では、逆台形状の部分の上方に、ガイド部２８の上部と同形状の矩形状の突出部４３が設けられている。突出部４３の左右の側縁は、弾性片を操作するための指の邪魔にならないように切り欠かれている。図５ａの符号２３ａ、２３ｂは、ブラケットとフランジの隙間によるガタを防ぐための小突起である。
【００１９】
前記第２フランジ２４は、図４ｂに示すように、突出部４３がないことを除けば第１フランジ２３とほぼ同じ形態であり、半円形の下部と、逆台形状の上部とを有する。さらにこの実施形態では、図２に示すように、第２フランジ２４の上端から前向きに庇部４４が突設されており、その庇部４４の下面には、ロックピース１２をスナップ係合するためのキャッチ４５が設けられている（図７参照）。第１フランジ２３および第２フランジ２４の大きさないし広がりは、ワンタッチキャップ１０がブラケット１４に装着されたとき、そのブラケットの前面および背面のスロットの周囲と係合することができる大きさである。そのため、両フランジ２３、２４の間の胴部２２よりも下側および側方に突出している。
【００２０】
図１に示すように、第１フランジ２３の上端には、前述した切り欠きの残りの部分が左右に突出する一対の突起２３ｃとして形成されている。ガイド部２８の上端近辺にも同様の左右に突出する一対の突起２８ａが形成されている。そして左の突起２３ｃ、２８ａ同士の間および右の突起２３ｃ、２８ａ同士の間には、それぞれ連結片４８で連結されている。この連結片４８は補強の作用のほか、弾性片２５の上端を覆い、それにより、弾性片２５に不測の外力が加わらないように保護する作用を奏する。また、左右の突起２３ｃ、２８ａは、弾性片２５の摘み５０を摘んでワンタッチキャップ１０をブラケット１４から取り外すときに指を引っ掛ける引っ掛かりとなる。
【００２１】
前記一対の弾性片２５は、図５ｂおよび図５ｃに詳細に示すように、上端に外向きに突出する摘み５０を有する。一対の弾性片２５の摘み５０を摘むことにより、弾性片２５を内向き（矢印Ｐ方向）に撓ませることができる（図６参照）。摘み５０の下方には、係止爪５１が外向きに突出している。係止爪５１は三角形状を呈し、上縁が係合するようにブラケット１４のスロット１５への挿入方向に対してほぼ直角であり、下縁はスロット１５への挿入時に弾性片２５を撓ませるために傾斜させている。この弾性片２５は、ワンタッチキャップ１０をブラケット１４に装着したとき、弾性片２５の係止爪５１をブラケット１４の係止段部と係合させてスロット１５から抜けないように保持する作用を奏する。
【００２２】
さらにこの実施形態では、弾性片２５の基部の近辺に外向きに突出する引っ掛かり部５２が設けられている。この引っ掛かり部５２の高さは、摘み５０を摘んで弾性片２５を内向きに撓ませて係止爪５１がブラケット１４の係止段部から外れる状態になっても、引っ掛かり部５２の先端がブラケット１４の第２の係止段部５７から完全には外れず、しかも摘み５０を摘んでワンタッチキャップ１０を上向きに引っ張り、弾性片２５がさらに内向きに撓んだときに外れる程度にしている。したがって弾性片２５に不測の外力が加わった場合でも、ワンタッチキャップ１０がブラケット１４から外れない。他方、意図的に抜くときは容易に抜くことができる。
【００２３】
前記ガイド部２８はブラケット１４のＵ字状のスロット１５に嵌合する部分であり、図５ｄに示すように、下端は半円状で、左右の側面同士は平行である。上部は第１フランジ２３の突出部４３と同じ形態を呈しており、前述のように一対の連結片４８の一端を保持している。このガイド部２８は、ワンタッチキャップ１０のブラケット１４への装着および取り外しのときにまっすぐに上下させるガイド作用を奏すると共に、装着時にケーブルあるいはワンタッチキャップに加わる横方向の力、下向きの力および軸心を傾けようとする外力に対して抵抗する作用を奏する。それによりそのような外力が加わったときに弾性片２５に対する外力を緩和し、ブラケットから外れることを防止する。
【００２４】
つぎに図１を参照してブラケット１４を説明する。このブラケット１４は、ワンタッチキャップ１０の第１フランジ２３と第２フランジ２４の間隔と実質的に同じ厚さを有する板状のものであり、前述のようにＵ字状のスロット１５が形成されている。スロット１５は底部５４が半円状の円筒面で、左右の側面５５は互いに平行な平坦面とされ、ブラケット１４の上縁で開口している。スロット１５の上端側の出口部には、アールないしテーパ面が形成され、弾性片２５も含めてワンタッチキャップ１０の挿入を容易にしている。さらにこの実施形態では、スロット１５の左右の側面５５に、ワンタッチキャップ１０の係止爪５１と係合する第１の係止段部５６と、引っ掛かり部５２と係合する第２の係止段部５７とが形成されている。それらの段部５６、５７は、側面５５の第１フランジ側に形成した凹部５８、５８ａの上側の面によって構成されている。それらの凹部は板厚より浅い。また左右の側面５５のガイド部２８と接する部分には凹部はなく、平滑なＵ字状になっている。これによりガイド部２８のガイド効果がより確実になる。
【００２５】
図６に詳細に示すように、第１の係止段部５６は中に入るほど上にいく（自由端側で下降する）傾斜面とされている。それにより係止爪５１との係合がしっかりする。上側の凹部５８の下側の面５９、すなわち第２の係止段部５７を構成する三角形状の突起６０の上面は、ワンタッチキャップ１０の挿入時に引っ掛かり部５２を内向きに押すように、自由端側で下降する傾斜面としている。また、その突起６０の下面で構成される第２の係止段部５７は、自由端側で上昇する傾斜面としている。それによりワンタッチキャップ１０をブラケット１４から引き抜くとき、前述したように、引っ掛かり部５２が内向きに押圧され、引っ掛かり部５２と第２の係止段部５７との係合が解かれ、ワンタッチキャップ１０を抜き取ることができる。
【００２６】
つぎに上記のワンタッチキャップ１０を用いてコントロールケーブルをブラケットに取り付ける手順を説明する。コントロールケーブルの導管は導管保持部材３３にカシメて固着し、ガイドパイプ３４の一端を防振ダンパ３２に装着し、それらの全体をワンタッチキャップ１０の胴部の後部２２ａの空所に収容し、ケース４２で覆う。内索３６ａは、ガイドパイプ３４の先端から引き出し、ガイドロッド４０の端部に固着する。それによりワンタッチキャップ１０側の準備が完了する。ついで得られたワンタッチキャップとケーブルの組み立て体は、ブラケット１４の中心線に合わせるようにその上方に配置し、ワンタッチキャップ１０のフランジ２３、２４の隙間がブラケット１４に対応するように前後の位置を合わせ、そのままスロット１５内に挿入する。
【００２７】
そのときは係止爪５１や引っ掛かり部５２の傾斜面と、スロット１５の入り口や三角形状の突起６０の傾斜面との当接により、弾性片２５が自然に基部を中心として内向きに撓む。そのため摘み５０を摘む必要がない。そして係止爪５１が第１の係止段部を乗り越え、引っ掛かり部が第２の係止段部を乗り越えたとき、弾性片２５がその弾力性で元の状態に戻る。それにより係止爪５１と第１の係止段部５６が係合し、ケーブルの抜け止めが達成される。その状態では、第１フランジ２３と第２フランジ２４とでブラケット１４を挟んでいるので、軸方向の動きも拘束される。
【００２８】
一旦ブラケット１４に装着したワンタッチキャップ１０は、図６に示すように、弾性片２５の摘み部５０を摘んで矢印Ｐ方向に撓ませると、係止爪５１が第１の係止段部５６から外れる。また、引っ掛かり部５２も第２係止段部５７から外れる寸前になっている。その状態でたとえば突起２３ｃ、２８ａを指で引っかけてワンタッチキャップ１０を引き上げると、弾性片２５がさらに撓んで引っ掛かり部５２と第２係止段部５７の係合が外れ、ブラケット１４から外すことができる。
【００２９】
上記のようにロックピースを用いなくても、ワンタッチキャップ１０をブラケット１４に外れないように取り付けることもできる。しかしケーブルあるいはワンタッチキャップ１０に想定外の強い力、とくにスロット１５の開口部に向かう上向きの力が斜め方向に加わった場合、弾性片２５に撓みが生じ、スロット１５から抜け出る可能性がある。そのため図１のワンタッチキャップ１０では、弾性片２５と当接片２６の隙間２７にロックピース１２を挿入する構成を採用している。ロックピース１２は、図１および図８に示すように、弾性片２５と当接片２６の隙間２７に挿入する一対の脚部（挿入片）７１と、それらの脚部を連結する前壁７２と、キャップ本体１１の胴部の前部２２ｂの上面を前後にスライドする円弧状断面のスライド部７３とを備えている。
【００３０】
さらに図７および図８に示すように、前壁７２の裏面側には前記キャッチ（図７の符号４５）にスナップ係合するスナップ突起７４を備えている。スナップ突起は平面視でＬ字状の弾性舌片を組み合わせ、先端の鍵部をキャッチ４５の凹部４５ａに係止させるようにしたものである。脚部７１の断面形状は、弾性片２５と当接片２６の隙間２７の形状に合わせて下側が薄くなるテーパ状としている。また、図４ｂおよび図５ｄに示すように、第２フランジ２４からガイド部２８にかけて、脚部７１を通し、且つ保持するための貫通孔７５が形成されている。貫通孔７５は脚部７１を摺動自在に保持している。ただし抜け落ちるのを防止するため、止まり嵌合の嵌め合い公差にしてもよい。また、脚部７１の基部は先端よりも高くして段部７６を設け、貫通孔７５に入り込まないようにしている。
【００３１】
このものは、通常の状態では脚部７１の先端を貫通孔７５に止まり状態で嵌合させてロックピース１２を保持させておく。そしてワンタッチキャップ１０をブラケット１４に取り付けた後、前壁７２を押して脚部７１を深く嵌合させ、その先端が弾性片２５と当接片２６の隙間２７に入り込むようにする。そうすると弾性片２５は中心側に撓むことができなくなる。したがって不測の外力により弾性片２５が撓むことが防止され、ワンタッチキャップ１０がブラケット１４から抜け出ることが防止される。
【００３２】
ケーブルおよびワンタッチキャップ１０をブラケット１４から取り外す場合は、まず前壁７２などを引っ張ってロックピース１２を途中まで引き抜き、脚部７１の先端を弾性片２５と当接片２６の隙間２７から抜き出す。それにより摘み５０を操作して弾性片２５を自由に撓めることができるようになる。その後は前述と同じ手順でブラケット１４から取り外すことができる。
【００３３】
ロックピース１２の抜け止め作用はきわめて高いが、ワンタッチキャップ１０のブラケット１４への取り付け操作および取り外し操作に別個の操作が加わるため、簡易に着脱できるというワンタッチキャップ１０の利点を削減する。したがって強い外力が加わることが予想される場合に採用し、そうでない場合は省略するのが好ましい。また、前述の弾性片２５に設けた引っ掛かり部５２とブラケット１４に設けた第２の係止段部５７についても同様の傾向があり、ある程度外力が大きい場合は設けるのが好ましいが、外力があまりかない場合は、引っ掛かり部５２および第２の係止段部５７は省略することもできる。
【００３４】
前記実施形態ではキャップ本体１１は合成樹脂の成型品であるが、金属製のものを使用してもよい。ただし弾性片にバネを用いるなど、２以上の部品を用いることになるので、合成樹脂製が好ましい。またブラケットは通常は合成樹脂で製造するが、金属で製造することも可能である。
【図面の簡単な説明】
【図１】本発明のワンタッチキャップの一実施形態をブラケットと共に示す分離斜視図である。
【図２】そのワンタッチキャップを用いたケーブル端末固定構造の一実施形態を示す平面図である。
【図３】図３そのワンタッチキャップを用いたケーブル端末固定構造の一実施形態を示す縦断面図である。
【図４】図４ａおよび図４ｂはそれぞれ図１のワンタッチキャップの側面図および正面図である。
【図５】図５ａ〜図５ｄはそれぞれ図４ａのＡ−Ａ線断面図、Ｂ−Ｂ線断面図、Ｃ−Ｃ線断面図およびＤ−Ｄ線断面図である。
【図６】そのワンタッチキャップのブラケットから取り外す状態を示す断面図である。
【図７】図１のワンタッチキャップの一部断面平面図である。
【図８】図１に示すロックピースの背面斜視図である。
【図９】図９ａおよび図９ｂはそれぞれ従来のケーブル端末固定構造の一例を示す一部断面側面図および一部断面正面図である。
【図１０】従来のケーブル端末固定構造の他の例を示す斜視図である。
【符号の説明】
１０　ワンタッチキャップ
１１　キャップ本体
１２　ロックピース
１３　コントロールケーブル
１４　ブラケット
１５　スロット
２１　内部空洞
２２　胴部
２２ａ　後部
２２ｂ　前部
２３　第１フランジ
２３ａ、２３ｂ　小突起
２３ｃ　突起
２４　第２フランジ
２５　弾性片
２６　当接片
２７　隙間
２８　ガイド部
２８ａ　突起
３２　防振ダンパ
３３　導管保持部材
３４　ガイドパイプ
３５　内面
３６　導管
３６ａ　内索
３７　筒状部
３８　フランジ
３９　球面状膨大部
４０　ガイドロッド
４１　円筒部
４２　ケース
４２ａ　係合突起
４３　突出部
４４　庇部
４５　キャッチ
４８　連結片
５０　摘み
５１　係止爪
５２　引っ掛かり部
５４　（スロットの）底部
５５　（スロットの）側面
５６　第１の係止段部
５７　第２の係止段部
５８、５８ａ　凹部
５９　凹部の下側の面
６０　三角形状の突起
７１　脚部
７２　前壁
７３　スライド部
７４　スナップ突起
７５　貫通孔
７６　段部
【図１】
2004125058.tif 000003
【図２】
2004125058.tif 000004
【図３】
2004125058.tif 000005
【図４】
2004125058.tif 000006
【図５】
2004125058.tif 000007
【図６】
2004125058.tif 000008
【図７】
2004125058.tif 000009
【図８】
2004125058.tif 000010
【図９】
2004125058.tif 000011
【図１０】
2004125058.tif 000012